(57)【特許請求の範囲】
【請求項１】
左右の平行する操作杆と、上記操作杆の基部に前方へ直角配置した接地板と、上記操作杆の基部付近に設けられた一対の車輪と、上記操作杆の上部に設けられたグリップ部とを有するハンドトラックにおいて、上記操作杆に係合してガイドされる左右の昇降枠と、この昇降枠の基部に前方へ直角配置した昇降板と、上記昇降枠を昇降動する昇降駆動手段と、を備え、上記昇降板は平板状をなすとともに上記接地板と平面上で重複する位置に配置され且つこの最下降位置で地面に密着すべく凹凸関係に係合し合うように取り付けられていることを特徴とするハンドトラック。
【請求項２】
請求項１記載のハンドトラックにおいて、上記昇降枠を昇降動する昇降駆動手段は、エンジンと、これにより駆動される油圧ポンプと、これにより駆動される油圧モータと、上記油圧モータに連結する巻上プーリと、を備え、上記巻上プーリと昇降枠とを上記操作杆上部に備える滑車を経由させた巻上紐体で連絡し、上記巻上プーリの正逆転で昇降枠とその昇降板を昇降動するものであることを特徴とするハンドトラック。
【請求項３】
請求項１記載のハンドトラックにおいて、上記昇降枠を昇降動する昇降駆動手段は、バッテリと、これにより駆動される電気モータと、上記電気モータに連結する巻上プーリと、を備え、上記巻上プーリと昇降枠とを上記操作杆上部に備える滑車を経由させた巻上紐体で連絡し、上記巻上プーリの正逆転で昇降枠とその昇降板を昇降動するものであることを特徴とするハンドトラック。
【発明の詳細な説明】
【０００１】
【発明の属する技術分野】
本発明は、平行する操作杆と、この操作杆の基部に一対の車輪及び接地板とを備えたハンドトラックにおいて、接地板とともに設けた昇降板を昇降駆動手段により自動昇降できるようにしたものに係る。
【０００２】
【従来の技術】
従来、例えば、畑からの農作物の搬出は、バラ物や１つ前後の箱物のときは一輪車による方法が手軽に利用されている。また、農作物を納めた箱（コンテナ）を、一度に２，３個以上を積重ねて搬出したいときは、図１４に示すようなハンドトラックＨＴが利用されている。上記一輪車やハンドトラックは、他方面にわたり多く利用されている。ハンドトラックＨＴの利用例として、例えば、建設資材（セメント袋，タイルを詰めた箱他）の搬送に使用したり、プロパンボンベの搬送、書籍を多数積み重ね、これを室内の整理棚から他の棚へと搬送する時に使用されている。
【０００３】
【発明が解決しようとする課題】
上記一輪車やハンドトラックは、田畑等の地面が走行用に整備されていない場所においても、難なく荷物を積み、これを搬送できる便利さがある。しかし、田畑から搬出した農作物を入れた多数のコンテナをトラック（貨物自動車）に積み上げるためには、ハンドトラック上のコンテナよりも高いトラックの荷台へ１つひとつ持ち上げて積込まなければならない。上記トラックへのコンテナ積込作業は、重労働であり、軽作業で積降しできる方法が求められている。そこで、油圧又は電気式のリフターの利用が考えられる。しかし、上記リフターでは、車輪が小さく、安定させるために４ヵ所の車輪が設けられている、田畑の整備されていない地面への立入りや搬出運転が困難である。だからといって、車輪を大きくすると、この車輪やリフターの本体が農作物を傷付け、その収穫量を低減させてしまうという問題がある。
【０００４】
即ち、ハンドトラックの利便性を維持しながら、リフターが持つコンテナ等の荷物のトラックとの積降し作業の労力軽減を図れるものがない。これが田畑等における収穫物のトラックへの積込み作業における問題点である。
【０００５】
本発明は上記問題点に鑑み、コンテナ等の荷物のトラックとの積降し作業を軽減するために、昇降板をモータ等の動力により、自動昇降できるようにしたハンドトラックを提供することを目的とする。
【０００６】
【課題を解決するための手段】
上記目的を達成するべく本発明の請求項１のハンドトラックは、左右の平行する操作杆と、上記操作杆の基部に前方へ直角配置した接地板と、上記操作杆の基部付近に設けられた一対の車輪と、上記操作杆の上部に設けられたグリップ部とを有するハンドトラックにおいて、上記操作杆に係合してガイドされる左右の昇降枠と、この昇降枠の基部に前方へ直角配置した昇降板と、上記昇降枠を昇降動する昇降駆動手段と、を備え、上記昇降板は平板状をなすとともに上記接地板と平面上で重複する位置に配置され且つこの最下降位置で地面に密着すべく凹凸関係に係合し合うように取り付けられていることを特徴とするものである。
【０００７】
本発明の請求項１によると、コンテナ等の荷物をハンドトラックに積込むには、まず、左右の操作杆に係合する昇降枠の昇降板を昇降駆動手段により、最下降させて地面に密着させる。この昇降板が地面に密着した状態で、左右の操作杆を垂直姿勢に立たせる。ここで、コンテナ等の荷物を昇降板上に一段若しくは数段重ねて載せる。次に、ハンドトラックを目的地まで移動させるには、左右の操作杆を両手で操作して斜め姿勢に傾斜させ、搭載した荷物の重心を車輪上に移動させる。この状態にて、ハンドトラックは軽快に移送される。
【０００８】
トラックの荷台近くまで運ばれたハンドトラックは、再び左右の操作杆を垂直姿勢に立たせる。ここで、コンテナ等の荷物をトラックの荷台へ搭載させるために、昇降駆動手段により昇降板をトラックの荷台と同レベルまで上昇移動させる。この状態にて、トラックの近くに居る作業者、又は、トラックへ乗り込んだ作業者が昇降板上の荷物をトラックの荷台へ移動させ、トラックへの積込みを行なう。積込を終えたハンドトラックは、昇降駆動手段により昇降板を下降させ、１回目の荷物の搬送とトラックへの積込を終了する。以下、上記作業手順を繰返して多数の荷物の積込作業が軽快に実施される。勿論、トラックから荷物を降ろす場合は、上記手順と逆の作業を行なえば良い。
【０００９】
また、接地板と平面上で重複する位置に配置され且つこの最下降位置で地面に密着すべく凹凸関係に係合し合うように取り付けられている昇降板は、この最下降時に地面に密着する。このため、コンテナ等の荷物を持ち上げなくても、そのまま引っ張り込むように昇降板上に搭載移動でき、荷物の積降し作業をより一層軽快に行える。
【００１０】
本発明の請求項２のハンドトラックは、請求項１記載のハンドトラックにおいて、上記昇降枠を昇降動する昇降駆動手段は、エンジンと、これにより駆動される油圧ポンプと、これにより駆動される油圧モータと、上記油圧モータに連結する巻上プーリと、を備え、上記巻上プーリと昇降枠とを上記操作杆上部に備える滑車を経由させた巻上紐体で連絡し、上記巻上プーリの正逆転で昇降枠とその昇降板を昇降動するものであることを特徴とするものである。
【００１１】
本発明の請求項２によると、油圧モータにより巻上プーリを回転駆動するようにしたので、上記巻上プーリを正逆転させることにより昇降板を昇降動させられ、コンテナ等の荷物をトラックの荷台へ搭載させる積込み作業が、エンジンを動力源として軽快に行なえる。
【００１２】
本発明の請求項３のハンドトラックは、請求項１記載のハンドトラックにおいて、上記昇降枠を昇降動する昇降駆動手段は、バッテリと、これにより駆動される電気モータと、上記電気モータに連結する巻上プーリと、を備え、上記巻上プーリと昇降枠とを上記操作杆上部に備える滑車を経由させた巻上紐体で連絡し、上記巻上プーリの正逆転で昇降枠とその昇降板を昇降動するものであることを特徴とするものである。
【００１３】
本発明の請求項３によると、電気モータにより巻上プーリを回転駆動するようにしたので、上記巻上プーリを正逆転させることにより昇降板を昇降動させられ、コンテナ等の荷物をトラックの荷台へ搭載させる積込み作業が、バッテリの電源を利用してクリーンな環境で軽快に行なえる。従って、室内での荷物の積降し作業にも最適である。
【００１４】
【発明の実施の形態】
以下、図面を参照して本発明の実施の形態を説明する。図１は本発明の第１実施形態のハンドトラック１００を示す斜視図であり、図２はその背面図である。上記第１実施形態のハンドトラック１００は、左右の平行する操作杆（フレーム）１，３と、この操作杆１，３の上部間１Ｂ，３Ｂに架絡する枠材３Ｃと、基部１Ａ，３Ａに一対の車輪５及び接地板７とを備えている。また、上記操作杆１，３の上部１Ｂ，３Ｂ間には、水平なグリップ部９を備え、接地板７を地面Ｅに密着して操作杆１，３を垂直に立てたり、傾斜姿勢に傾けて搬送する時の握りとなる。
【００１５】
上記左右の操作杆１，３は、図３，４，５に示すように、断面Ｃ型のチャンネル材で構成されている。上記操作杆１，３には、昇降枠１３Ａの左右支持部１３Ｂ，１３Ｂが、これに付設したガイドローラＧ１〜Ｇ４を係合してガイドされている。上記支持部１３Ｂ，１３Ｂと、操作杆１，３とのガイド構成は、図４，５に示すように、断面Ｃ型のチャンネル材内に収めたＸ方向のガイドローラＧ１，Ｇ３と、Ｙ方向のガイドローラＧ２，Ｇ４とからなる。これにより、昇降枠１３Ａは、がたつくことなく円滑に、上記操作杆１，３上を昇降移動することが可能である。
【００１６】
尚、上記昇降枠１３Ａの基部１３Ｃには、図３，５，６に示すように、昇降板１３Ｄを片持ちの水平姿勢に連設し、前方へ直角に配置している。上記昇降板１３Ｄは、接地板７と平面上で異なる位置に配置されている。そして、上記昇降板１３Ｄが最下降時に地面Ｅに密着するように、凹凸関係に係合し合い、昇降板１３Ｄが接地板とほぼ同一平面まで下降するようになっている。しかして、地面Ｅに置かれたコンテナ等の箱体を大きく持ち上げることなく、多数段に搭載可能としている。勿論、荷物の形態により、上記昇降板１３Ｄをフォーク状とし、パレット等の搬送及びリフトアップに対応させられる。尚、この場合も接地板７と異なる位置に配置できることは勿論である。
【００１７】
上記昇降枠１３Ａを昇降動する昇降駆動手段２０は、車輪５側の枠台３Ｄに搭載されている。この昇降駆動手段２０は、エンジン２１と、このエンジン２１により駆動される油圧ポンプ２３と、この油圧ポンプ２３により駆動される油圧モータ２５と、上記油圧モータ２５に連結する巻上プーリ２７とを主要な構成部材とする。そして、上記巻上プーリ２７と昇降枠１３Ａ間は、上記操作杆１，３の上部の枠部３Ｃに備える滑車２９を経由させたワイヤーロープ等の巻上紐体３０により連絡されている。これにより、上記巻上プーリ２７を油圧モータ２５の正逆転駆動で正逆転させると、昇降枠１３Ａとその昇降板１３Ｄが昇降動する。
【００１８】
上記油圧モータ２５を正逆転駆動させる正逆転切換器４０は、油圧ポンプ２３の吐出部２３Ａに備えている。上記正逆転切換器４０に設けた切換棒４１の両端４１Ａ，４１Ｂと、枠部３Ｃに備える正逆転切換レバー４３の切換棒４５の両端４５Ａ，４５Ｂとは、２本の平行するワイヤーロープ４７，４９により連結されている。しかして、正逆転切換レバー４３を正転位置（イ）と、停止位置（ロ）と、逆転位置（ハ）との３位置に位置決めすることで、正逆転切換器４０を遠隔操作できるようになっている。この正逆転切換器４０により、昇降枠１３Ａは任意位置に昇降させたり、停止させたりできる。
【００１９】
上記昇降枠１３Ａの上昇端は、上記操作杆１，３の上部またはストッパーＳに当接して強制的に止められる。また、昇降枠１３Ａの下降動は、図８に示すように、ワイヤーロープ３０を巻上プーリ２７から引き出すことで行なわれる。そして、巻上プーリ２７からワイヤーロープ３０が完全に引き出される時、昇降枠１３Ａは最下端に達する。ここで、図９に示すように、巻上プーリ２７が回転を継続すると、ワイヤーロープ３０が再び巻上プーリ２７に逆巻きされる。この逆巻き変位をレバー５０の感知部５１で検出し、このレバー５０の変位をロープ５３の引張力Ｆに変え、上記ロープ５３の先端５３Ａで正逆転切換器４０及び正逆転切換レバー４３を停止位置（ロ）に自動復帰する。
【００２０】
上記第１実施形態のハンドトラック１００は、上記のように構成され、以下のように作用する。コンテナ等の荷物Ｃをハンドトラック１００に積込むには、まず、左右の操作杆１，３に係合する昇降枠１３Ａの昇降板１３Ｄを昇降駆動手段２０により、最下降させる。次に、左右の操作杆１，３を垂直姿勢に立たせ、接地板７及び昇降板１３Ｄを地面Ｅに密着させる。ここで、コンテナ等の荷物Ｃを昇降板１３Ｄ上に一段若しくは数段重ねて載せる。次に、ハンドトラック１００を目的地まで移動させるには、図１０に示すように、左右の操作杆１，３を両手で操作して図中２点鎖線で示すように、斜め姿勢に傾斜させ、搭載した荷物の重心を車輪５上に移動させる。この状態にて、ハンドトラック１００は軽快に移送される。
【００２１】
トラックＴの荷台Ｎ近くまで運ばれたハンドトラック１００は、図１０，１１に示すように、再び左右の操作杆１，３を垂直姿勢に立たせ、接地板７及び昇降板１３Ｄを地面Ｅに密着させる。ここで、コンテナ等の荷物ＣをトラックＴの荷台Ｎへ搭載させるために、昇降駆動手段２０により昇降板１３Ｄをトラックの荷台と同レベルＨＬまで上昇移動させる。この状態にて、トラックＴの近くに居る作業者、又は、トラックへ乗り込んだ作業者が昇降板１３Ｄ上の荷物ＣをトラックＴの荷台Ｎへ移動させ、トラックへの積込みを行なう。積込を終えたハンドトラック１００は、昇降駆動手段２０により昇降板１３Ｄを下降させ、１回目の荷物の搬送とトラックへの積込を終了する。以下、上記作業手順を、繰返して多数の荷物の積込作業を行う。勿論、トラックから荷物を降ろす場合は、上記手順と逆の作業を行なえば良い。
【００２２】
上記第１実施形態のハンドトラック１００によると、以下の効果を奏する。まず、昇降板１３Ｄがモータ等により自動昇降され、トラックＴ等の高い位置に有る荷台Ｎへの荷物Ｃの積込・積降し作業が軽快に行なえる効果がある。
【００２３】
また、昇降駆動手段２０は、エンジン２１と、これにより駆動される油圧ポンプ２３と、これにより駆動される油圧モータ２５と、上記油圧モータに連結する巻上プーリ２７と、を備え、上記巻上プーリと昇降枠１３Ａとを上記操作杆上部に備える滑車２９を経由させた巻上紐体３０で連絡させているので、上記巻上プーリの正逆転により昇降板を昇降動させることができるから、コンテナ等の荷物ＣをトラックＴの荷台Ｎへ搭載させる積込み作業が、エンジン２１の動力源を利用して軽快に行なえる効果がある。
【００２４】
更に、操作杆１，３の基部１Ａ，３Ａに備える接地板７と異なる位置に配置された昇降板１３Ｄは、最下降時に地面Ｅに密着するから、コンテナ等の荷物Ｃを持ち上げなくても、昇降板１３Ｄ上に搭載移動でき、荷物の積降し作業をより一層軽快にできる効果がある。
【００２５】
そして、上記昇降枠１３Ａの昇降板１３Ｄは、板状又はフォーク状等の任意形状の昇降板に変更できるから、荷物の形状や大きさ・重さ等により、板状又はフォーク状の昇降板に適宜に交換し、最適な条件での荷物の積降し作業が高能率で、且つ、軽快に行なえる効果がある。
【００２６】
次に、図１２，１３を参照して昇降駆動手段６０を備える本発明のハンドトラック２００の第２実施形態を説明する。上記昇降枠１３Ａを昇降動する昇降駆動手段６０は、バッテリＢと、これにより駆動されるウオーム減速機等の減速機ＧＫ付きの電気モータＥＭと、上記電気モータＥＭに連結する巻上プーリ２７とを主要な構成部材とする。そして、上記巻上プーリ２７と昇降枠１３Ａ間は、上記操作杆１，３の上部の枠部３Ｃに備える滑車２９を経由させたワイヤーロープ等の巻上紐体３０により連絡されている。これにより、上記巻上プーリ２７を電気モータＥＭの正逆転駆動で正逆転させると、昇降枠１３Ａとその昇降板１３Ｄが昇降動する。
【００２７】
上記電気モータＥＭを正逆転駆動させる正逆転切換器７０は、図１３に示すように、バッテリＢの出力線Ｅ１，Ｅ２に介在させている。上記正逆転切換器７０は、２本の出力線をプラス側，マイナス側とに、切替えるスイッチ構成をなしている。しかして、正逆転切換器７０のレバー７０Ａを正転位置（イ）と、停止位置（ロ）と、逆転位置（ハ）との３位置に位置決めすることで、遠隔操作できるようになっている。この正逆転切換器７０により、昇降枠１３Ａは任意位置に昇降させたり、停止させたりできる。尚、上記以外の構成は、上記第１実施形態のハンドトラック１００と同一につき、同一符号を付して説明を省略する。
【００２８】
昇降枠１３Ａの上限位置及び下限位置は、図１３に示すように、上限リミットスイッチＬＳ１と、下限リミットスイッチＬＳ２とにより検知される。これにより、上記昇降枠１３Ａが上限位置又は下限位置を超えようとすると、上記電気モータＥＭを停止させ、上下方向のオーバーランを防止する。
【００２９】
本発明の第２実施形態の昇降駆動手段６０を備えたハンドトラック２００は、上記のように構成され、以下のように作用する。昇降駆動手段６０は、バッテリＢと、これにより駆動される電気モータＥＭと、上記電気モータに連結する巻上プーリ２７と、を備え、巻上プーリ２７と昇降枠１３Ａとを、上記操作杆１，３の上部３Ｃに備える滑車２９を経由させた巻上紐体３０で連絡されているので、上記正逆転切換器７０の操作による巻上プーリ２７の正逆転で、昇降板１３Ｄを昇降動する。これにより、コンテナ等の荷物ＣのトラックＴの荷台Ｎへの積込み積降し作業を行う。その詳細な作業は、図１０，１１に示した作業と同様である。従って、屋外の他、室内での荷物の積降し作業にも最適である。
【００３０】
上記第２実施形態のハンドトラック２００によると、以下の効果を奏する。まず、昇降板が電気モータにより自動昇降され、トラック等の高い位置に有る荷台への荷物の積込・積降し作業が軽快に行える効果がある。
【００３１】
また、昇降駆動手段６０は、バッテリと、これにより駆動される電気モータとに駆動源を求めたからから、コンテナ等の荷物をトラックの荷台へ搭載させる積込み積降し作業が、バッテリの電源を利用してクリーンで静かな環境のもとに軽快に行なえる。従って、室内での書籍等の積降し作業にも最適である。そして、モータＥＭの正逆転切換器７０も単純な切替えスイッチの構成で良く、装置全体を簡単に構成できるとともに、その保守・点検も簡便に行える効果がある。
【００３２】
本発明は、上記各実施形態に限定されることなく発明の要旨内において、設計変更を成し得ること勿論である。例えば、昇降枠１３Ａ及びこの昇降板１３Ｄを昇降動する巻上プーリ２７と巻上紐体３０の駆動手段を、ネジ棒とナットに変更したり、直動シリンダに変更してもよい。更に、車輪５にクラッチの入り切りにより、エンジン２１や電気モータＥＭの回転力を伝え、前進及び後退駆動させるようにしても良い。
【００３３】
【発明の効果】
以上のように、本発明の請求項１によると、昇降板が昇降駆動手段により自動昇降され、トラック等の高い位置に有る荷台への荷物の積込・積降し作業が軽快に行なえる効果がある。また、昇降板の最下降時にハンドトラックを垂直に立てると地面に密着するから、コンテナ等の荷物を持ち上げなくても、そのまま引っ張り込むように昇降板上に搭載移動でき、荷物の積降し作業をより一層軽快に行える効果がある。
【００３４】
本発明の請求項２によると、コンテナ等の荷物をトラックの荷台へ搭載させる積込み作業が、エンジンの動力源を利用して軽快に行なえる効果がある。
【００３５】
本発明の請求項３によると、コンテナ等の荷物をトラックの荷台へ搭載させる積込み積降し作業が、バッテリの電源を利用することでクリーンな環境のもとに軽快に行なえる効果がある。従って、屋内での使用を可能にする効果もある。
【図面の簡単な説明】
【図１】  本発明の第１実施形態を示すハンドトラックの斜視図である。
【図２】  本発明の第１実施形態を示すハンドトラックの背面図である。
【図３】  本発明の第１実施形態の操作杆の要部を示す側面図である。
【図４】  本発明の第１実施形態の操作杆の要部を示す図３のＡ−Ａ線の断面図である。
【図５】  本発明の第１実施形態の操作杆の要部を示す図３のＢ−Ｂ線の断面図である。
【図６】  本発明の第１実施形態の昇降板の要部を示す側面図である。
【図７】  本発明の第１実施形態の昇降板の要部を示す平面図である。
【図８】  本発明の第１実施形態の昇降駆動手段の要部を示す正面図である。
【図９】  本発明の第１実施形態の昇降駆動手段の作用を示す正面図である。
【図１０】  本発明の第１実施形態によるトラックへの積込を示す側面図である。
【図１１】  本発明の第１実施形態によるトラックへの積込を示す側面図である。
【図１２】  本発明の第２実施形態を示すハンドトラックの斜視図である。
【図１３】  本発明の第２実施形態の昇降駆動手段を示す電気回路図である。
【図１４】  従来例のハンドトラックを示す斜視図である。
【符号の説明】
１，３操作杆
１Ａ，３Ａ基部
１Ｂ，３Ｂ上部
３Ｃ枠材
５車輪
７接地板
９グリップ部
１３Ａ昇降枠
１３Ｂ支持部
１３Ｃ基部
１３Ｄ昇降板
２０昇降駆動手段
２１エンジン
２３油圧ポンプ
２５油圧モータ
２７巻上プーリ
２９滑車
３０巻上紐体
４０正逆転切換器
４１切換棒
４１Ａ，４１Ｂ両端
４３正逆転切換レバー
４５切換棒
４５Ａ，４５Ｂ両端
４７，４９ワイヤーロープ
５０レバー
５１感知部
５３ロープ
６０昇降駆動手段
７０正逆転切換器
７０Ａレバー
（イ）正転位置
（ロ）停止位置
（ハ）逆転位置
Ｂバッテリ
Ｃ荷物
ＥＭ電気モータ
Ｅ地面
Ｇ１〜Ｇ４ガイドローラ
ＧＫ減速機
Ｔトラック
Ｎ荷台
１００，２００ハンドトラック
【図１】
0003850927.tif 000002
【図２】
0003850927.tif 000003
【図３】
0003850927.tif 000004
【図４】
0003850927.tif 000005
【図５】
0003850927.tif 000006
【図６】
0003850927.tif 000007
【図７】
0003850927.tif 000008
【図８】
0003850927.tif 000009
【図９】
0003850927.tif 000010
【図１０】
0003850927.tif 000011
【図１１】
0003850927.tif 000012
【図１２】
0003850927.tif 000013
【図１３】
0003850927.tif 000014
【図１４】
0003850927.tif 000015